(57)【要約】【課題】被吸着面が湾曲面である場合であっても、がたつくことなく安定した状態で被吸着面に取り付ける上で有利な吸盤装置を提供する。【解決手段】ケース１２を把持してケース１２を被吸着面に向かって押さえつけると、吸盤１４が被吸着面に吸着する。この状態でダイヤル４０を回転操作しケース１２を下方に変位させると、複数の当接体３８の下端が被吸着面に当接する。さらに、ダイヤル４０を回転操作すると吸盤１４の中心部が被吸着面から離れる方向に変位され、吸盤１４の密着度が高められ、かつ、複数の当接部１６が被吸着面に当接していることから、ケース１２のがたつきが防止された状態でケース１２が被吸着面に取り付けられる。被吸着面が湾曲面である場合であっても、互いに離間する各当接体３８を被吸着面に対して確実に当接できるので、ケース１２を被吸着面に安定した状態で取り付けることができる。【選択図】図１
2008051248.tif 000002
【特許請求の範囲】
【請求項１】
ケースと、
厚さ方向の一方の面が吸着面とされ他方の面が背面とされた吸盤と、
前記ケースに設けられ前記吸盤の背面の径方向の中央部を前記厚さ方向に変位可能に支持する変位機構と、
前記ケースに設けられ被吸着面に前記吸着面が吸着した際に前記吸着面が吸着した前記被吸着面箇所の外側の前記被吸着面箇所に当接可能な当接部と、
を備えた吸盤装置であって、
前記当接部は、互いに離間し前記吸盤の周方向に間隔をおいた前記被吸着面の複数箇所に当接する複数の当接体を含んで構成されている、
ことを特徴とする吸盤装置。
【請求項２】
ケースと、
厚さ方向の一方の面が吸着面とされ他方の面が背面とされた吸盤と、
前記ケースに設けられ前記吸盤の背面の径方向の中央部を前記厚さ方向に変位可能に支持する変位機構と、
前記ケースに設けられ被吸着面に前記吸着面が吸着した際に前記吸盤の背面の外周部に当接可能な当接部と、
を備えた吸盤装置であって、
前記当接部は、互いに離間し前記背面の周方向に間隔をおいた複数箇所に当接する複数の当接体を含んで構成されている、
ことを特徴とする吸盤装置。
【請求項３】
前記各当接体は、前記吸盤の周方向に間隔をおいた前記ケースの複数箇所に取着された互いに独立した部材により構成されていることを特徴とする請求項１または２記載の吸盤装置。
【請求項４】
前記当接体は、弾性を有する材料で形成されていることを特徴とする請求項１または２記載の吸盤装置。
【請求項５】
前記変位機構は、
前記吸盤の背面から前記吸着面の中心軸に沿って前記背面から離れる方向に突設された軸と、
前記軸の外周面に形成された雄ねじと、
前記雄ねじに螺合され、回転操作されることで前記軸の長手方向における前記ケースと前記吸盤の中央部との間の距離を変化させる回転操作用のダイヤルと、
を含んで構成されていることを特徴とする請求項１または２記載の吸盤装置。
【請求項６】
前記ケースは、上壁と、前記上壁の周囲から垂設された周壁とを有し、
前記上壁と周壁とにより収納空間が形成され、
前記収納空間内で前記上壁の下方に前記ダイヤルが配設される共に前記ダイヤルの下方に前記吸盤が配設され、
前記ダイヤルの外周部の一部は、前記周壁に設けられた開口から前記周壁の外側に突出して回転操作可能に配置され、
前記各当接体は、前記周壁の下端で前記周壁の周方向に間隔をおいた箇所に設けられた互いに独立した部材で構成されている、
ことを特徴とする請求項５記載の吸盤装置。
【請求項７】
前記ケースは、上壁と前記周壁の上半部とからなる上分割体と、前記周壁の下半部からなる下分割体とが結合されて構成され、
前記ダイヤルは、前記上分割体と前記下分割体との間に配置されている、
ことを特徴とする請求項６記載の吸盤装置。
【請求項８】
前記変位機構は、
前記吸盤の背面から前記吸着面の中心軸に沿って前記背面から離れる方向に突設された軸と、
前記軸の外周面に形成された雄ねじと、
前記雄ねじに螺合され、回転操作されることで前記軸の長手方向における前記ケースと前記吸盤の中央部との間の距離を変化させる回転操作用のダイヤルとを含んで構成され、
前記ケースは、中心孔が形成された上壁と、前記上壁の周囲から垂設された周壁とを有し、
前記上壁と周壁とにより収納空間が形成され、
前記収納空間内で前記上壁の下方に前記ダイヤルが配設される共に前記ダイヤルの下方に前記吸盤が配設され、
前記雄ねじに螺合する雌ねじが前記ダイヤルの中心部に設けられ、
前記上壁の下方に臨む前記ダイヤルの上面で前記雌ねじの周囲の箇所に、前記上壁の中心孔に回転可能に支持されるボス部が設けられ、
前記各当接体は、前記周壁の下端で前記周壁の周方向に間隔をおいた箇所に設けられた互いに独立した部材で構成されている、
ことを特徴とする請求項１または２記載の吸盤装置。
【請求項９】
前記変位機構は、
前記吸盤の背面から前記吸着面の中心軸に沿って前記背面から離れる方向に突設された軸と、
前記軸の外周面に形成された雄ねじと、
前記雄ねじに螺合され、回転操作されることで前記軸の長手方向における前記ケースと前記吸盤の中央部との間の距離を変化させる回転操作用のダイヤルとを含んで構成され、
前記ケースは、上壁と、前記上壁の周囲から垂設された周壁とを有し、
前記ケースは、上分割体と下分割体とが結合されて構成され、
前記上分割体は、前記上壁と前記周壁の上半部とからなり、
前記下分割体は、前記周壁の下半部と前記下半部の上端に前記上壁に対向するように設けられた中間壁とからなり、
前記上壁と周壁とにより収納空間が形成され、
前記収納空間内で前記上壁の下方で前記中間壁の上方に前記ダイヤルが配設される共に前記中間壁の下方に前記吸盤が配設され、
前記ダイヤルの外周部の一部は、前記周壁に設けられた開口から前記周壁の外側に突出して回転操作可能に配置され、
前記各当接体は、前記周壁の下端で前記周壁の周方向に間隔をおいた箇所に設けられた互いに独立した部材で構成されている、
ことを特徴とする請求項１または２記載の吸盤装置。
【請求項１０】
前記ケースに、前記吸着面が前記被吸着面に吸着した状態で前記吸盤の背面の外周部に当接して該外周部分を前記被吸着面に押圧する押さえ部材が設けられている、
ことを特徴とする請求項１記載の吸盤装置。
【請求項１１】
前記変位機構は、
前記吸盤の背面から前記吸着面の中心軸に沿って前記背面から離れる方向に突設された軸と、
前記軸の外周面に形成された雄ねじと、
前記雄ねじに螺合され、回転操作されることで前記軸の長手方向における前記ケースと前記吸盤の中央部との間の距離を変化させる回転操作用のダイヤルとを含んで構成され、
前記ケースは、上壁と、前記上壁の周囲から垂設された周壁とを有し、
前記ケースは、上分割体と下分割体とが結合されて構成され、
前記上分割体は、前記上壁と前記周壁の上半部とからなり、
前記下分割体は、前記周壁の下半部と前記下半部の上端に前記上壁に対向するように設けられた中間壁とからなり、
前記中間壁に、前記吸盤の外周部に対応する大きさの孔が形成され、
前記上壁と周壁とにより収納空間が形成され、
前記収納空間内で前記上壁の下方で前記中間壁の上方に前記ダイヤルが配設される共に前記中間壁の下方に前記吸盤が配設され、
前記ダイヤルの外周部の一部は、前記周壁に設けられた開口から前記周壁の外側に突出して回転操作可能に配置され、
前記各当接体は、前記周壁の下端で前記周壁の周方向に間隔をおいた箇所に設けられた互いに独立した部材で構成され、
前記ケースに、前記吸着面が前記被吸着面に吸着した状態で前記吸盤の背面の外周部に当接して該外周部分を前記被吸着面に押圧する押さえ部材が設けられ、
前記押さえ部材は、前記中間壁に形成された前記孔の内周縁に嵌着されて配設されている、
ことを特徴とする請求項１記載の吸盤装置。
【請求項１２】
前記ケースは、上壁と、前記上壁の周囲から前記上壁の周方向に間隔をおいて垂設された複数の周壁とを有し、
前記複数の当接体は、前記周壁の下端に取着されている、
ことを特徴とする請求項１または２記載の吸盤装置。
【請求項１３】
前記ケースは、上壁と、前記上壁の周囲から前記上壁の周方向に間隔をおいて垂設された複数の周壁とを有し、
前記複数の当接体は、前記周壁の下端に取着され、
前記上壁の中心に孔が形成され、
前記変位機構は、
前記吸盤の背面から前記吸着面の中心軸に沿って前記背面から離れる方向に突設され前記上壁の孔を通って前記上壁の上方に突出する軸と、
前記上壁の上方に突出する前記軸の外周面に形成された雄ねじと、
前記上壁の上方に突出する前記軸の前記雄ねじに螺合された回転操作用のダイヤルと、
を含んで構成されていることを特徴とする請求項１または２記載の吸盤装置。
【請求項１４】
前記ケースは、上壁と、前記上壁の周囲から前記上壁の周方向に間隔をおいて垂設された複数の周壁とを有し、
前記複数の当接体は、前記周壁の下端に取着され、
前記上壁の中心に孔が形成され、
前記変位機構は、
前記吸盤の背面から前記吸着面の中心軸に沿って前記背面から離れる方向に突設され前記上壁の孔を通って前記上壁の上方に突出する軸と、
前記軸の先端に取着されたキャップと、
前記軸に巻装されて前記上壁と前記キャップとの間に設けられそれら上壁とキャップとを離す方向に付勢して前記当接部を前記吸盤の背面に当接するコイルスプリングと、
を含んで構成されていることを特徴とする請求項１または２記載の吸盤装置。
【請求項１５】
前記吸盤にその径方向外方に延在する取り外し操作用の片体が設けられ、
前記片体は前記複数の当接体の間を通って前記ケースの外側に突出している、
ことを特徴とする請求項１または２記載の吸盤装置。
【請求項１６】
前記吸盤は、吸盤本体とゲル層とで構成され、
前記吸盤本体は、弾性を有する材料から形成され前記背面を構成しており、
前記ゲル層は、ゲルから形成され前記吸盤本体に取着されて前記吸着面を構成している、
ことを特徴とする請求項１または２記載の吸盤装置。
【発明の詳細な説明】
【技術分野】
【０００１】
本発明は吸盤装置に関する。
【背景技術】
【０００２】
壁面などに物品を取り付ける吸盤装置が提案されている。
この種の吸盤装置は、ケースと、吸盤と、ケースに設けられ吸盤の中央部を変位可能に支持する変位機構と、ケースに設けられ被吸着面または吸盤の背面に当接可能な当接部とを備えている。
そして、吸盤を被吸着面に吸着させた後、当接部を被吸着面または吸盤の背面に当接させ、変位機構により吸盤の中央部を被吸着面から離間させ、がたつくことなく安定した状態で吸盤装置を被吸着面に吸着させるようにしている。
従来、当接部は吸盤の外周に沿って連続して延在する円環状に形成されている（特許文献１、２参照）。
【特許文献１】実用新案登録第３０８４１４０号
【特許文献２】実用新案登録第３０１４８４１号
【発明の開示】
【発明が解決しようとする課題】
【０００３】
そのため、被吸着面が湾曲面を呈している場合、当接部が被吸着面に安定した状態で当接できず、したがって、吸盤の中央部を被吸着面から離間させる方向に変位しがたく、吸盤装置を被吸着面に安定した状態で取り付けにくい不具合があった。
本発明はこのような事情に鑑みなされたものであり、その目的は、がたつくことなく安定した状態で被吸着面に取り付ける上で有利な吸盤装置を提供することにある。
【課題を解決するための手段】
【０００４】
上述の目的を達成するため、本発明は、ケースと、厚さ方向の一方の面が吸着面とされ他方の面が背面とされた吸盤と、前記ケースに設けられ前記吸盤の背面の径方向の中央部を前記厚さ方向に変位可能に支持する変位機構と、前記ケースに設けられ被吸着面に前記吸着面が吸着した際に前記吸着面が吸着した前記被吸着面箇所の外側の前記被吸着面箇所に当接可能な当接部とを備えた吸盤装置であって、前記当接部は、互いに離間し前記吸盤の周方向に間隔をおいた前記被吸着面の複数箇所に当接する複数の当接体を含んで構成されていることを特徴とする。
また、本発明は、ケースと、厚さ方向の一方の面が吸着面とされ他方の面が背面とされた吸盤と、前記ケースに設けられ前記吸盤の背面の径方向の中央部を前記厚さ方向に変位可能に支持する変位機構と、前記ケースに設けられ被吸着面に前記吸着面が吸着した際に前記吸盤の背面の外周部に当接可能な当接部とを備えた吸盤装置であって、前記当接部は、互いに離間し前記背面の周方向に間隔をおいた複数箇所に当接する複数の当接体を含んで構成されていることを特徴とする。
【発明の効果】
【０００５】
本発明によれば、吸盤の周方向に間隔をおき互いに離間する複数の当接体がケースに設けられているため、被吸着面が湾曲面である場合であっても、互いに離間する各当接体が被吸着面に対してまたは吸盤の背面に対して確実に当接され、ケースを被吸着面に安定した状態で取り付けることができる。
【発明を実施するための最良の形態】
【０００６】
次に、本発明の実施の形態について図面を参照して説明する。
（第１の実施の形態）
図１は第１の実施の形態の吸盤装置１０Ａの斜視図、図２は吸盤装置１０Ａの分解斜視図、図３、図４は吸盤装置１０Ａの動作説明図である。
図１に示す吸盤装置１０Ａは、例えば、自動車の車室内のダッシュボード上でカーナビゲーション装置やテレビジョン装置のディスプレイパネルを支持し、また、種々の車載機器をリモートコントロールするためのコントローラーなどを支持するものである。
吸盤装置１０Ａは、ケース１２、吸盤１４、当接部１６、変位機構１８などを含んで構成されている。
変位機構１８は、軸２８とダイヤル４０などを含んで構成されている。
【０００７】
図１乃至図４に示すように、ケース１２は、矩形状の上壁１２Ａと、上壁１２Ａの周囲である４辺から垂設された周壁１２Ｂとを有し、上壁１２Ａと周壁１２Ｂとにより下方に開放状の収納空間Ｓが形成される。この収納空間Ｓには吸盤１４や後述するダイヤル４０が配設される。
本実施の形態では、ケース１２は、上分割体２０と下分割体２２とが結合されて構成されている。
上分割体２０は、上壁１２Ａと周壁１２Ｂの上半部とからなる。
下分割体２２は、周壁１２Ｂの下半部とこの下半部の上端に上壁１２Ａに対向するように設けられた中間壁２２０６とからなる。
上壁１２Ａの中央には中心孔１２０２が貫通形成されている。
また、上壁１２Ａには上述のディスプレイパネルやコントローラーを取り付けるための複数の取り付け片１２０４が立設されている。
また、周壁１２Ｂを構成する上分割体２０の箇所には、ダイヤル４０を突出させるための開口１２０６が形成されている。
【０００８】
中間壁２２０６は上壁１２Ａに平行し、この中間壁２２０６に係合孔２２０２が設けられ、また、ねじ２２０４の挿通孔が設けられている。
上分割体２０と下分割体２２との結合は、図２に示すように、上分割体２０の係合爪２００２を下分割体２２の中間壁２２０６の係合孔２２０２に係合し、下分割体２２の下方からねじ２２０４を上分割体２０のボス部２００４に螺合することで行われる。
中間壁２２０６の中央には、吸盤１４の外周部に対応する大きさの円形の孔２２０８が貫通形成され、円形孔２２０８の内周縁には中間壁２２０６の下面から押さえ部材２３が嵌着されている。
押さえ部材２３は、吸盤１４の背面２６の外周部に当接可能に設けられている。
【０００９】
ダイヤル４０は、後述する軸２８の雄ねじ３０に螺合され、回転操作されることで軸２８の長手方向におけるケース１２と吸盤１４の中央部との間の距離を変化させるものである。
ダイヤル４０は、回転操作しやすいように外周部に周方向に間隔をおいて複数の凸部４００２が形成され、また、図３に示すように、中心部に雌ねじ４２が貫通形成され、上面には中心孔１２０２に回転可能に挿入されるボス部４００４が突出形成されている。
ダイヤル４０は、上壁１２Ａの下方で中間壁２２０６の上方の収容空間Ｓに配置され、対向する外周部分がそれぞれ開口１２０６からケース１２の外方に突出し、ボス部４００４が中心孔１２０２に挿入されることでダイヤル４０は回転可能に支持され、かつ、開口１２０６の上縁と中間壁２２０６の上面とで吸着面２４の中心軸に沿って（中心孔１２０２の軸心方向に）移動不能に配設されている。
【００１０】
図１乃至図４に示すように、吸盤１４は円盤状を呈し、厚さ方向の一方の面が凹状の吸着面２４とされ他方の面が凸状の背面２６とされている。
軸２８は、吸盤１４の背面２６から吸着面２４の中心軸に沿って背面２６から離れる方向に突設され、軸２８の外周面に雄ねじ３０が形成されている。
軸２８は、押さえ部材２３の内側を通りダイヤル４０の雌ねじ４２に螺合して配設されている。言い換えると、ダイヤル４０はケース１２を挟んで吸盤１４と反対の箇所に位置している。
本実施の形態では、吸盤１４は、背面２６を構成する円盤状の吸盤本体３２と、吸着面２４を構成するゲル層３６とを含んで構成されている。
軸２８は吸盤本体３２の背面３２０２の中央から突設され、また、吸盤本体３２の外縁に吸盤１４の径方向外方向に延在する取り外し操作用の片体３４が設けられている。この片体３４は周壁１２Ｂの下端の開口１２２０および後述する当接体３８の間を通ってケース１２の外方に突出して配設されている。
吸盤本体３２は、弾性を有する合成樹脂材料、例えば、ウレタン系やスチレン系、シリコン樹脂系など、従来の吸盤に用いられている従来公知の様々な材料が使用可能である。
ゲル層３６はゲルからなり、図３に示すように、背面３２０２と反対に位置する吸盤本体３２の面に凹状の取り付け面３２０４が形成され、この取り付け面３２０４に該取り付け面３２０４を覆うように接合され、吸着面２４はこのゲル層３６の表面で形成されている。
このようなゲルとして、ポリエチレン系、スチレン系、シリコン樹脂系などの合成樹脂系のゲルが使用可能であり、ポリエチレン系のゲルとして、例えば、市販品である株式会社コスモ計器の商品名「コスモゲル」を使用可能である。スチレン系のゲルとして、例えば、市販品である株式会社イノアックコーポレーションの商品名「ＮＡＧＦＬＥＸ」を使用可能である。シリコン系のゲルとして、例えば、市販品である株式会社ジェルテックの商品名「αＧＥＬ」（アルファゲル）を使用可能である。
また、取り付け面３２０４へのゲル層３６の接合は、例えば、二色成形や接着剤による接合などの方法が採用可能である。
【００１１】
当接部１６はケース１２に設けられ、被吸着面２に吸着面２４が吸着した際に吸着面２４が吸着した被吸着面２箇所の外側の被吸着面２箇所に当接可能に設けられている。
詳細には、当接部１６は、互いに離間し吸盤１４の周方向に間隔をおいた被吸着面２の複数箇所に当接する複数の当接体３８を含んで構成されている。
本実施の形態では、各当接体３８は、周壁１２Ｂを構成する下分割体１２Ｂの下端で周壁１２Ｂの周方向に間隔をおいた箇所に取着された互いに独立した部材により構成され、当接体３８は、本実施の形態では、下分割体１２Ｂの下端の四隅（四つの角部）に設けられている。各当接体３８は円柱状を呈し、下分割体１２Ｂの下端の四隅の孔に嵌め込まれて配設されている。
当接体３８は、本実施の形態では、弾性材料で形成され、このような弾性材料として、例えば、ウレタンフォームが使用可能であり、例えば、市販品である株式会社イノアックコーポレーションの商品名「ＰＯＲＯＮ」が使用可能である。
【００１２】
変位機構１８は、ケース１２と吸盤１４との間に設けられ吸盤１４の径方向の中央部を被吸着面２に対して離間接近する方向に変位可能に支持するものであり、詳細には、吸盤１４（吸着面２４）の中心軸に沿ってケース１２と吸盤１４とを相対的に変位させるものである。
変位機構１８は、上述の軸２８と、雄ねじ３０と、雌ねじ４２と、ダイヤル４０とを含んで構成されている。
すなわち、図３に示すように、変位機構１８により吸盤１４を上壁１２Ａから下方へ離れるように位置させた状態とし（周壁１２Ｂの下端から突出させた状態とし）、ケース１２を把持して吸着面２４を被吸着面２に臨ませ、吸盤１４を被吸着面２に当て付ける。これにより、まず、吸着面２４の外周部が被吸着面２に当て付けられ、この状態で、吸着面２４と被吸着面２との間には空気が介在した空間が形成されている。
さらに、ケース１２を被吸着面２に向かって押さえつけると、軸２８の雄ねじ３０がダイヤル４０の雌ねじ４２に螺合していることから、吸盤本体３６の中央部分が被吸着面２に近接する方向に変形し、吸着面２４の全域が被吸着面２に密着し、前記空間に介在した空気が吸着面２４と被吸着面２との間から排出され、吸着面２４と被吸着面２との間がほぼ真空状態となり、吸着面２４が被吸着面２に吸着され、これにより吸盤装置１０Ａが被吸着面２に取り付けられる。
この状態でダイヤル４０を回転操作すると、ケース１２は被吸着面２方向に移動し、言い換えると、上壁１２Ａの上方に軸２８が変位していき、複数の当接体３８が吸盤１４の径方向外側の被吸着面２の箇所に当接し、また、押さえ部材２３が吸盤１４の背面２６の外周部に当接し、吸盤１４の外周部を被吸着面２に押さえつける。
さらにこの状態からダイヤル４０を回転操作し続けると、ケース１２は被吸着面２方向に移動しようとするものの複数の当接体３８が吸盤１４の径方向外側の被吸着面２の箇所に当接しているので被吸着面２方向に移動できず、その結果、図４に示すように、吸盤１４の中心部が被吸着面２から離れる方向に強制的に変位される。これにより、吸盤１４の密着度が高められ、かつ、複数の当接体３８が被吸着面２に当接していることから、また、押さえ部材２３が吸盤１４の外周部を被吸着面２に押さえつけていることから、ケース１２のがたつきが防止された状態でケース１２が被吸着面２に取り付けられる。
【００１３】
本実施の形態によれば次のような効果が奏される。
吸盤１４の周方向に間隔をおき互いに離間する複数の当接体３８がケース１２に設けられているため、ディスプレイパネルやコントローラーが取り付けられる自動車のダッシュボードが湾曲面である場合であっても、互いに離間する各当接部１６が被吸着面２に対して確実に当接でき、ケース１２を被吸着面２に安定した状態で取り付けることができる。
したがって、吸盤装置１０Ａに取り付けられたディスプレイパネルやコントローラーのがたつきを抑制でき、ディスプレイパネルを見やすくすることができ、あるいは、コントローラーの操作性を向上する上で有利となる。
【００１４】
比較例を用いてより詳細に説明する。
図６（Ａ）は比較例の吸盤装置５０の斜視図、（Ｂ）、（Ｃ）は吸盤装置５０が湾曲した被吸着面２に吸着する際の説明図である。なお、図６および図５においてケースを円形として描いている。
図６（Ａ）乃至（Ｃ）に示すように、比較例の吸盤装置５０は、本実施の形態の吸盤装置１０Ａと同様のケース５２、吸盤５４を有しているが、当接部５６は、本実施の形態の吸盤装置１０Ａの当接部１６と異なり、吸盤５４の周方向の全周にわたって環状に延在形成されており、当接部５６の下端５６０２は同一平面上に位置している。
比較例の吸盤装置５０では、図６（Ｂ）に示すように、ケース５２を把持して吸盤５４の吸着面５８を被吸着面２に臨ませ、被吸着面２に当て付け、ケース５２を被吸着面２に向かって押さえつけると、本実施の形態と同様に、吸盤５４が被吸着面２に吸着する。
この状態でダイヤル（不図示）を回転操作し、ケース５２を被吸着面２方向に移動し、言い換えると、上方に軸６０を変位させていくと、当接部５６の下端が次第に被吸着面２に近接し、やがて、図６（Ｃ）に示すように、当接部５６の下端５６０２のうち、湾曲した被吸着面２のうち最も高い部分に臨む箇所のみが被吸着面２に当接し、当接部５６の下端５６０２の他の部分は被吸着面２から離間した状態となる。
したがって、当接部５６の一部のみが被吸着面２に当接していることから、ダイヤルの操作により吸盤５４の中央部を被吸着面２から離れる方向に変位させると、被吸着面２に対して直交する方向ではなく、傾斜した方向に吸盤５４の中央部を変位させることになり、吸盤５４を被吸着面２から剥がしてしまう不具合が生じる。
したがって、ケース５２を被吸着面２にがたつくことなく安定した状態で取り付けにくい。
【００１５】
図５（Ａ）は本実施の形態の吸盤装置１０Ａの斜視図、（Ｂ）、（Ｃ）は吸盤装置１０Ａが湾曲した被吸着面２に吸着する際の説明図である。
図５（Ａ）に示すように、本実施の形態の吸盤装置１０Ａは、複数の当接部１６が吸盤１４の周方向に間隔をおいてケース１２に設けられている。
図５（Ｂ）に示すように、ケース１２を把持して吸盤１４の吸着面２４を被吸着面２に臨ませ、被吸着面２に当て付け、ケース１２を被吸着面２に向かって押さえつけると、吸盤１４が被吸着面２に吸着する。
この状態でダイヤル（不図示）を回転操作し、ケース１２を被吸着面２方向に移動し、言い換えると、上方に軸２８を変位させていくと、複数の当接体３８の下端が次第に被吸着面２に近接し、やがて、図５（Ｃ）に示すように、複数の当接体３８の下端は、湾曲した被吸着面２にそれぞれに当接した状態となる。すなわち、複数の当接体３８は互いに離間しているので、被吸着面２の高所を挟んだ高所の両側の箇所にそれぞれ当接体３８を２つずつ当接できる。
したがって、各当接体３８が被吸着面２に確実に当接していることから、さらなるダイヤルの回転操作により吸盤１４の中央部を被吸着面２から離れる方向に強制的に変位させ、ケース１２を被吸着面２にがたつくことなく安定した状態で取り付けることができ、比較例に比べて有利である。
特に本実施の形態では、各当接体３８が弾性を有する部材で構成されているため、湾曲面である被吸着面２に対して各当接体３８をより確実に当接することができ、ケース１２を被吸着面２に安定した状態で取り付ける上でより有利となる。
なお、このような変位機構６２の構成は、複数の当接体３８を吸盤１４の背面２６の外周部に当接させる場合にも無論適用可能であり、その場合には、押さえ部材２３は省略される。
【００１６】
（第２の実施の形態）
次に、図７を参照して第２の実施の形態について説明する。
図７（Ａ）は第２の実施の形態に係る吸盤装置１０Ｂの斜視図、（Ｂ）は同正面図である。なお、第１の実施の形態と同様な箇所、部材には同一の符号を付して説明する。
吸盤装置１０Ｂは、ケース６０、吸盤１４、当接部１６、変位機構６２などを含んで構成され、変位機構６２は、軸２８（図７では見えていない）とダイヤル４０などを含んで構成されている。
【００１７】
吸盤１４の構成は第１の実施の形態と同様であり、図３、図４に示されるように、吸盤１４の背面２６から吸着面２４の中心軸に沿って背面２６から離れる方向に軸２８が突設され、軸２８の外周面に雄ねじ３０が形成されている。
ケース６０は、上壁６００２と、上壁６００２の周囲から上壁６００２の周方向に間隔をおいて垂設された複数の周壁６００４とを有し、それら周壁６００４の間には下方に開放状の切り欠き６００６が位置し、ケース６０は、全体として上方に凸状の湾曲形状を呈している。したがって、ケース６０は吸盤１４の外周部の周方向に間隔をおいて位置する複数の周壁６００４を有している。そして、各周壁６００４の下端は、吸盤１４の外周部に対応した半径で円弧状に延在している。
軸２８はケース６０の上壁６００２の中央の孔を通ってケース６０の上壁６００２の上方に突出し、このケース６０の上壁６００２の上方に突出する軸２８の雄ねじ３０部分に、図３、図４に示されるように、雌ねじ４２を螺合させてダイヤル４０が配設されている。
なお、ダイヤル４０の上方に突出する軸２８の上端にキャップ６４が固定されている。キャップ６４は、小径部６４０２と大径部６４０４とを有している。
【００１８】
当接部１６はケース６０に設けられ、被吸着面２に吸着面２４が吸着した際に吸盤１４の背面２６の外周部に当接可能に設けられている。
詳細には、当接部１６は、互いに離間し吸盤１４の周方向に間隔をおいた背面２６の複数箇所に当接する複数の互いに独立した当接体６６を含んで構成されている。
各当接体６６は周壁６００４の下端にそれぞれ取着され、吸盤１４の外周部に対応した半径で円弧状に延在している。当接体６６を構成する材料は、第１の実施の形態と同様である。
【００１９】
変位機構６２は、ケース６０と吸盤１４との間に設けられ吸盤１４の径方向の中央部を被吸着面２に対して離間接近する方向に変位可能に支持するものであり、詳細には、吸盤１４（吸着面２４）の中心軸に沿ってケース６０と吸盤１４とを相対的に変位させるものである。
変位機構１８は、上述の軸２８と、雄ねじ３０と、雌ねじ４２と、ダイヤル４０とを含んで構成されている。
すなわち、変位機構６２によりケース６０に対して吸盤１４を下方へ離れるように位置させた状態とし、キャップ６４やダイヤル４０を把持して吸着面２４を被吸着面２に臨ませ、吸盤１４を被吸着面２に当て付ける。これにより、まず、吸着面２４の外周部が被吸着面２に当て付けられ、この状態で、吸着面２４と被吸着面２との間には空気が介在した空間が形成されている。
さらに、キャップ６４やダイヤル４０を被吸着面２に向かって押さえつけると、軸２８の雄ねじ３０がダイヤル４０の雌ねじ４２に螺合していることから、吸盤１４の中央部分が被吸着面２に近接する方向に変形し、吸着面２４の全域が被吸着面２に密着し、前記空間に介在した空気が吸着面２４と被吸着面２との間から排出され、吸着面２４と被吸着面２との間がほぼ真空状態となり、吸着面２４が被吸着面２に吸着され、これにより吸盤装置１０Ａが被吸着面２に取り付けられる。
この状態でダイヤル４０を回転操作すると、ケース１２は被吸着面２方向に移動し、複数の当接体６６が背面２６の外周部に当接し、吸盤１４の外周部を被吸着面２に押さえつける。
さらにこの状態からダイヤル４０を回転操作し続けると、ケース１２は被吸着面２方向に移動しようとするものの複数の当接体６６が吸盤１４の背面２６の外周部に当接しているので被吸着面２方向に移動できず、その結果、吸盤１４の中心部が被吸着面２から離れる方向に強制的に変位される。これにより、吸盤１４の密着度が高められ、かつ、複数の当接体６６が背面２６の外周部に当接していることから、ケース１２のがたつきが防止された状態でケース１２が被吸着面２に取り付けられる。
このような第２の実施の形態によっても第１の実施の形態と同様な効果が奏される。
なお、このような変位機構６２の構成は、複数の当接体６６を吸盤１４の径方向外側の被吸着面２の箇所に当接させる場合にも無論適用可能である。
【００２０】
（第３の実施の形態）
次に、図８を参照して第３の実施の形態について説明する。
図８（Ａ）は第３の実施の形態に係る吸盤装置１０Ｃの斜視図、（Ｂ）は同正面図である。なお、第１、第２の実施の形態と同様な箇所、部材には同一の符号を付して説明する。
吸盤装置１０Ｃは、ケース７０、吸盤１４、当接部１６、変位機構７２などを含んで構成され、変位機構７２は、軸２８とコイルスプリング７４などを含んで構成されている。
【００２１】
吸盤１４の構成は第１の実施の形態と同様であり、図３、図４に示されるように、吸盤１４の背面２６から吸着面２４の中心軸に沿って背面２６から離れる方向に軸２８が突設されている。
ケース７００は、上壁７００２と、上壁７００２の周囲から上壁７００２の周方向に間隔をおいて垂設された複数の周壁７００４とを有し、それら周壁７００４の間には下方に開放状の切り欠き７００６が位置し、ケース７０は、全体として上方に凸状の湾曲形状を呈している。したがって、ケース７０は吸盤１４の外周部の周方向に間隔をおいて位置する複数の周壁７００４を有している。そして、各周壁７００４の下端は、吸盤１４の外周部に対応した半径で円弧状に延在している。
軸２８はケース７０の上部の中央の孔７００８を通ってケース７０の上壁７００２の上方に突出し、このケース７０の上壁７００２の上方に突出する軸２８の上端に円板状のキャップ７６が固定されている。
【００２２】
当接部１６はケース７０に設けられ、被吸着面２に吸着面２４が吸着した際に吸盤１４の背面２６の外周部に当接可能に設けられている。
詳細には、当接部１６は、互いに離間し吸盤１４の周方向に間隔をおいた背面２６の複数箇所に当接する複数の互いに独立した当接体６６を含んで構成されている。
各当接体６６は周壁７００４の下端にそれぞれ取着され、吸盤１４の外周部に対応した半径で円弧状に延在している。当接体６６を構成する材料は、第１の実施の形態と同様である。
【００２３】
変位機構７２は、ケース７０と吸盤１４との間に設けられ吸盤１４の径方向の中央部を被吸着面２に対して離間接近する方向に変位可能に支持するものであり、詳細には、吸盤１４（吸着面２４）の中心軸に沿ってケース７０と吸盤１４とを相対的に変位可能に支持するものである。
変位機構１８は、上述の軸２８と、ケース７０と、コイルスプリング７４と、キャップ７６とを含んで構成されている。
すなわち、変位機構７２により、言い換えると、コイルスプリング７４の弾性力によりケース７０とキャップ７６とが互いに離れる方向に付勢され、複数の当接体６６が吸盤１４の背面２６の外周部に当接するので、吸盤１４の中央部が外周部よりもキャップ７６方向に変位した状態となっている。
ここでキャップ７６やケース７０を把持して吸着面２４を被吸着面２に臨ませ、吸盤１４を被吸着面２に当て付ける。これにより、まず、吸着面２４の外周部が被吸着面２に当て付けられ、この状態で、吸着面２４と被吸着面２との間には空気が介在した空間が形成されている。
さらに、キャップ７６を被吸着面２に向かって押さえつけると、コイルスプリング７４が圧縮され、吸盤１４の中央部分が被吸着面２に近接する方向に変形し、吸着面２４の全域が被吸着面２に密着し、前記空間に介在した空気が吸着面２４と被吸着面２との間から排出され、吸着面２４と被吸着面２との間がほぼ真空状態となり、吸着面２４が被吸着面２に吸着され、これにより吸盤装置１０Ａが被吸着面２に取り付けられる。
この状態でキャップ７６から手を離すと、コイルスプリング７４の弾性力によりケース７０とキャップ７６とが互いに離れる方向に付勢され、複数の当接体６６が吸盤１４の背面２６の外周部に当接しているので、吸盤１４の中心部が被吸着面２から離れる方向に強制的に変位される。これにより、吸盤１４の密着度が高められ、かつ、複数の当接体６６が背面２６に当接していることから、ケース１２のがたつきが防止された状態でケース１２が被吸着面２に取り付けられる。
このような第３の実施の形態によっても第１、第２の実施の形態と同様な効果が奏される。
なお、このような変位機構７２の構成は、複数の当接体６６を吸盤１４の径方向外側の被吸着面２の箇所に当接させる場合にも無論適用可能である。
【００２４】
第１乃至第３の実施の形態において、当接部１６を単一の部材で構成しておき被吸着面２や吸盤１４の背面２６に当接する箇所のみを吸盤１４の外周部の周方向に離しておくように構成してもよいが、本実施の形態のように、当接部１６をそれぞれ別部材である当接体３８、６６で構成すると、コストを低減し吸盤装置１０Ａ、１０Ｂ、１０Ｃをコンパクト化する上で有利となる。
また、吸着面２４の構成には従来公知の様々な構造が適用可能であり、例えば、ゲル層３６を省略し背面２６と反対に位置する吸盤本体３２の面に吸着面を形成するようにしてもよい。ただし、第１の実施の形態のように、ゲル層３６により吸着面２４を構成すると、被吸着面２が皮シボ面として形成され、あるいは、こまかな凹凸面で形成され、あるいは、ざらざらな面で形成されている場合であっても、吸着面２４は凹凸に追従して変形し、凹凸面との間に隙間を介在させずに凹凸面やざらざらな面に吸着面２４を密着でき、吸盤１４を凹凸面やざらざらな面に確実に吸着させることができ、種々の物品を、ダッシュボードパネルの皮シボ面などの被吸着面２に確実に取り付ける上で有利となる。
また、第１の実施の形態では、吸盤１４の背面２６を当接する押さえ部材２３を設けたが、第１の実施の形態において押さえ部材２３を省略してもよい。ただし、押さえ部材２３を設けると、ケース１２を被吸着面２に安定した状態で取り付ける上で有利となる。
また、本実施の形態では、ディスプレイパネルや種々の車載機器のコントローラーなどを取り付けるための吸盤装置１０Ａ、１０Ｂ、１０Ｃについて説明したが、吸盤装置１０Ａ、１０Ｂ、１０Ｃにより支持する物品は車載機器用の物品に限定されるものではなく、様々な物品に適用可能である。
【図面の簡単な説明】
【００２５】
【図１】第１の実施の形態の吸盤装置１０Ａの斜視図である。
【図２】吸盤装置１０Ａの分解斜視図である。
【図３】吸盤装置１０Ａの動作説明図である。
【図４】吸盤装置１０Ａの動作説明図である。
【図５】（Ａ）は本実施の形態の吸盤装置１０Ａの斜視図、（Ｂ）、（Ｃ）は吸盤装置１０Ａが湾曲した被吸着面２に吸着する際の説明図である。
【図６】（Ａ）は比較例の吸盤装置１０Ａの斜視図、（Ｂ）、（Ｃ）は吸盤装置１０Ａが湾曲した被吸着面２に吸着する際の説明図である。
【図７】（Ａ）は第２の実施の形態に係る吸盤装置１０Ｂの斜視図、（Ｂ）は同正面図である。
【図８】（Ａ）は第３の実施の形態に係る吸盤装置１０Ｃの斜視図、（Ｂ）は同正面図である。
【符号の説明】
【００２６】
１０Ａ、１０Ｂ、１０Ｃ……吸盤装置、１２、６０、７０……ケース、１４……吸盤、１６……当接部、１８、６２、７２……変位機構、２４……吸着面、２６……背面。
【図１】
2008051248.tif 000003
【図２】
2008051248.tif 000004
【図３】
2008051248.tif 000005
【図４】
2008051248.tif 000006
【図５】
2008051248.tif 000007
【図６】
2008051248.tif 000008
【図７】
2008051248.tif 000009
【図８】
2008051248.tif 000010